(57)【要約】【課題】光学シートを介して光を放射する照明装置において、フレームに支持された光学シートに発生するしわやたるみを防ぐこと。【解決手段】導光板と、導光板に重ねて配置され、外周から所定方向に傾斜して突出する突起部傾斜辺を有する複数の突起部を第１縁辺および前記第１縁辺と交差する第２縁辺の少なくとも一方の辺に有する光学シートと、光学シートの突起部を支持する溝部が形成された支持面を内周に有し、光学シートの第１縁辺に沿う第１側壁および第２縁辺に沿う第２側壁とで導光板および光学シートを収容するフレームとを、備え、フレームは、光学シートの突起部における突起部傾斜辺に対向する側壁傾斜辺を溝部に有する。【選択図】図１
2010157452.tif 000002
【特許請求の範囲】
【請求項１】
導光板と、
前記導光板に重ねて配置され、外周から所定方向に傾斜して突出する突起部傾斜辺を有する複数の突起部を第１縁辺および前記第１縁辺と交差する第２縁辺の少なくとも一方の辺に有する光学シートと、
前記光学シートの前記突起部を支持する溝部が形成された支持面を内周に有し、前記光学シートの前記第１縁辺に沿う第１側壁および前記第２縁辺に沿う第２側壁とで前記導光板および前記光学シートを収容するフレームとを、備え、
前記フレームは、前記光学シートの突起部における前記突起部傾斜辺に対向する側壁傾斜辺を前記溝部に有することを特徴とする照明装置。
【請求項２】
前記光学シートの前記突起部傾斜辺は、対向する前記側壁傾斜辺を有する前記フレームの前記第１側壁または前記第２側壁の長さの中央方向を向いていることを特徴とする請求項１記載の照明装置。
【請求項３】
前記光学シートの外周に配置され、前記フレームの支持面における前記溝部では前記光学シートの突起部に貼付され、前記フレームの支持面における前記溝部以外では該支持面に貼付された遮光テープを備えることを特徴とする請求項１または２に記載の照明装置。
【請求項４】
前記突出部は、前記光学シートの外周の辺から垂直に突出する突起部直交辺と、前記光学シートの外周の辺から傾斜して突出する前記突起部傾斜辺とを有することを特徴とする請求項１から３のいずれか１項に記載の照明装置。
【請求項５】
前記突出部は、前記光学シートの外周の辺における設置位置に対し、前記第１縁辺または前記第２縁辺の当該辺が長い方の側に対して、前記突起部傾斜辺が配置されていることを特徴とする請求項１から４のいずれか１項に記載の照明装置。
【請求項６】
前記遮光テープは、粘着性のテープであることを特徴とする請求項３から５のいずれか１項に記載の照明装置。
【請求項７】
請求項１から６のいずれか１項に記載の照明装置を備えた電気光学装置であって、
前記フレームの内側には、前記光学シートに重ねて配置され、外周端部が、前記フレームの支持面における前記溝部では前記光学シートの突起部に貼付され、前記フレームの支持面における前記溝部以外では該支持面に貼付された遮光テープを介して支持される、前記照明装置から出射された光を変調して出射する液晶パネルが配置されていることを特徴とする電気光学装置。
【請求項８】
請求項７に記載の電気光学装置を備えていることを特徴とする電子機器。
【発明の詳細な説明】
【技術分野】
【０００１】
本発明は、光学シートを介して光を放射する照明装置、その照明装置を備えた電気光学装置および電子機器に関する。
【背景技術】
【０００２】
従来、透過型液晶装置等の電気光学装置および電子機器に備えられる照明装置として、拡散シートやプリズムシート等の光学シートを介して光を放射するものが知られている。
このような照明装置は、例えば、下層から順に、反射シート、導光板、散乱板、下側のプリズムシートおよび上側のプリズムシートを備えている。そして、導光板、散乱板、下側のプリズムシートおよび上側のプリズムシートは樹脂等によって構成されたフレーム内に収容され、反射シートはフレームの下層に配置される。
【０００３】
フレームの内周には、壁面の下部が上部よりも内部に迫り出した段差が設けられ、上記導光板、散乱板、下側のプリズムシートおよび上側のプリズムシートは、フレームの段差で囲まれた反射シート上層の空間（フレーム内の下部空間）に収容される。
また、上記導光板等がフレーム内の下部空間に収容された状態において、上側のプリズムシートの上面がフレームの段差の上面とほぼ同一の高さに位置するようフレームが設計される。
【０００４】
上側のプリズムシート外周にはフレームに対して位置決めを行うための突起部（爪）が形成されており、その突起部をはめ込むための溝部をフレームに形成することによって、上側のプリズムシートがフレームに支持される構造となっている。
そして、フレーム内周の段差より上部の空間（フレーム内の上部空間）に、液晶パネルが設置される。
なお、このような照明装置の構造に関する技術は、例えば特許文献１に開示されている。
【特許文献１】特開２００４−３６１６５４号公報
【発明の開示】
【発明が解決しようとする課題】
【０００５】
しかしながら、特許文献１記載の技術を含め、従来の電気光学装置に備えられる照明装置においては、液晶パネルの下に配置される光学シート（上側のプリズムシート等）が、外周に形成された突起部（爪）によってフレームに支持されている。
そのため、温度や湿度の変化等によって、フレームが膨張した場合に、それに伴って突起部が溝部の側壁に当接し、光学シートにしわやたるみを発生させる原因となっていた。特に、光学シートに矩形の突起部が形成されている場合、フレームの膨張による当接力が突起部に対してフレームの辺と平行な方向に加わり、それによる突起部の変形や突起部の付け根における応力集中が発生する可能性がある。
このように、光学シートを介して光を放射する照明装置において、フレームに支持された光学シートに発生するしわやたるみを防ぐことは困難であった。
本発明の課題は、光学シートを介して光を放射する照明装置において、フレームに支持された光学シートに発生するしわやたるみを防ぐことである。
【課題を解決するための手段】
【０００６】
以上の課題を解決するため、本発明の照明装置は、
導光板（例えば、図２の導光板２２）と、前記導光板に重ねて配置され、外周から所定方向に傾斜して突出する突起部傾斜辺を有する複数の突起部（例えば、図１の爪２５ａ）を第１縁辺および前記第１縁辺と交差する第２縁辺の少なくとも一方の辺に有する光学シート（例えば、図２の上側プリズムシート２５）と、前記光学シートの前記突起部を支持する溝部（例えば、図１の溝部２０ｃ）が形成された支持面（例えば、図２の内周部分２０ａの上面）を内周に有し、前記光学シートの前記第１縁辺に沿う第１側壁および前記第２縁辺に沿う第２側壁とで前記導光板および前記光学シートを収容するフレーム（例えば、図１のフレーム２０）とを、備え、前記フレームは、前記光学シートの突起部における前記突起部傾斜辺に対向する側壁傾斜辺を前記溝部に有することを特徴とする。
【０００７】
このような構成により、フレームが湿度や温度の変化によって膨張した場合に、フレームの溝部における側壁傾斜辺と光学シートの突起部における突起部傾斜辺とが、互いに擦り接触する。
そのため、フレームから光学シートに作用する力を辺に平行な方向と垂直な方向とに分散することができ、光学シートに応力集中が発生したり、突起部の変形を生じさせたりすることを抑制できる。
したがって、光学シートを介して光を放射する照明装置において、フレームに支持された光学シートに発生するしわやたるみを防ぐことが可能となる。
【０００８】
また、本発明の照明装置は、前記光学シートの前記突起部傾斜辺が、対向する前記側壁傾斜辺を有する前記フレームの前記第１側壁または前記第２側壁の長さの中央方向を向いていることを特徴とする。
このような構成により、フレームが温度や湿度の変化によって膨張した場合に、膨張量が大きく光学シートと接触する側に突起部傾斜辺を向けることができる。
そのため、フレームが光学シートに接触した場合に、接触により作用する力を、フレームの辺に平行な方向と垂直な方向とに分散させることができ、光学シートにしわやたるみが発生する事態を抑制することができる。
【０００９】
また、本発明の照明装置は、前記光学シートの外周に配置され、前記フレームの支持面における前記溝部では前記光学シートの突起部に貼付され、前記フレームの支持面における前記溝部以外では該支持面に貼付された遮光テープを備えることを特徴とする。
このような構成により、光学シートにおいては、フレームから接触による力が作用した場合に、遮光テープの貼付する力に抗して、遮光シートとの位置関係にずれを生じることができる。
これにより、より効果的に、フレームに支持された光学シートに発生するしわやたるみを防ぐことが可能となる。
【００１０】
また、本発明の照明装置は、前記突出部が、前記光学シートの外周の辺から垂直に突出する突起部直交辺と、前記光学シートの外周の辺から傾斜して突出する前記突起部傾斜辺とを有することを特徴とする。
このような構成により、フレームが膨張して突起部直交辺において光学シートに当接した場合、突起部直交辺の位置を基点として、光学シートがフレームに対して変位する。
この場合、突起部傾斜辺側にクリアランスがある限り、光学シートにしわやたるみを生じさせることが抑制される。
【００１１】
また、フレームが膨張して突起部傾斜辺において光学シートに接触した場合、フレームから光学シートに作用する力を辺に平行な方向と垂直な方向とに分散することができ、光学シートに応力集中が発生したり、突起部の変形を生じさせたりすることを抑制できる。
したがって、光学シートを介して光を放射する照明装置において、フレームに支持された光学シートに発生するしわやたるみを防ぐことが可能となる。
【００１２】
また、本発明の照明装置は、前記突出部において、前記光学シートの外周の辺における設置位置に対し、前記第１縁辺または前記第２縁辺の当該辺が長い方の側に対して、前記突起部傾斜辺が配置されていることを特徴とする。
このような構成により、フレームが膨張した場合に、突起部傾斜辺において光学シートとフレームとを接触させることができ、より確実に、フレームから光学シートに作用する力を辺に平行な方向と垂直な方向とに分散することができる。
【００１３】
また、前記遮光テープは、粘着性のテープであることを特徴とする。
このような構成により、膨張によってフレームが光学シートに接触した場合に、光学シートにフレームから作用する力によって、光学シートと遮光テープとの位置関係にずれを生じさせることができる。
したがって、より効果的に、フレームに支持された光学シートに発生するしわやたるみを防ぐことが可能となる。
【００１４】
また、本発明の電気光学装置は、請求項１から４のいずれか１項に記載の照明装置を備えた電気光学装置であって、前記フレームの内側には、前記光学シートに重ねて配置され、外周端部が、前記フレームの支持面における前記溝部では前記光学シートの突起部に貼付され、前記フレームの支持面における前記溝部以外では該支持面に貼付された遮光テープを介して支持される、前記照明装置から出射された光を変調して出射する液晶パネルが配置されていることを特徴とする。
【００１５】
このような構成により、フレームが湿度や温度の変化によって膨張した場合に、フレームの溝部における側壁傾斜辺と光学シートの突起部における突起部傾斜辺とが、互いに擦り接触する。
そのため、フレームから光学シートに作用する力を辺に平行な方向と垂直な方向とに分散することができ、光学シートに応力集中が発生したり、突起部の変形を生じさせたりすることを抑制できる。
【００１６】
したがって、光学シートを介して光を放射する照明装置において、フレームに支持された光学シートに発生するしわやたるみを防ぐことが可能となる。
また、光学シートにおいては、フレームから接触による力が作用した場合に、遮光テープの貼付する力に抗して、遮光シートとの位置関係にずれを生じることができる。
これにより、より効果的に、フレームに支持された光学シートに発生するしわやたるみを防ぐことが可能となる。
また、電気光学装置の表示品質を向上させることが可能となる。
【００１７】
また、本発明の電子機器は、請求項７に記載の電気光学装置を備えていることを特徴とする。
このような構成により、フレームが湿度や温度の変化によって膨張した場合に、フレームの溝部における側壁傾斜辺と光学シートの突起部における突起部傾斜辺とが、互いに擦り接触する。
そのため、フレームから光学シートに作用する力を辺に平行な方向と垂直な方向とに分散することができ、光学シートに応力集中が発生したり、突起部の変形を生じさせたりすることを抑制できる。
したがって、光学シートを介して光を放射する照明装置において、フレームに支持された光学シートに発生するしわやたるみを防ぐことが可能となる。
また、電子機器の表示品質を向上させることが可能となる。
【発明を実施するための最良の形態】
【００１８】
以下、本発明を適用した照明装置、電気光学装置および電子機器の実施の形態を図面を参照して説明する。
（第１実施形態）
（構成）
図１は、本発明の第１実施形態に係る電気光学装置１の全体構成を示す図である。
また、図２は、電気光学装置１の断面構造（図１におけるＡ−Ａ’断面構造）を示す概略図である。なお、以下、電気光学装置１として液晶装置を構成した場合を例に挙げて説明する。
図１および図２において、電気光学装置１は、液晶パネル１Ａと、バックライトユニット１Ｂ（照明装置）とを備えており、これらは遮光両面テープ１Ｃによって貼り合わせられている。
【００１９】
液晶パネル１Ａは、上側偏光板１１と、液晶セル１２と、下側偏光板１３とを有している。
上側偏光板１１は、液晶セル１２の表側（ユーザに視認される側）に設置されており、特定の偏光方向を有する光を透過する。
液晶セル１２は、画素電極が形成された素子基板と共通電極が形成された対向基板とが貼り合わせられ、これらの基板間に、シール剤によって液晶が封入された構造を有している。
【００２０】
また、液晶セル１２には、液晶を駆動するためのドライバＩＣ（不図示）が備えられており、入力された指示信号に応じて画像を表示する。
下側偏光板１３は、液晶セル１２の裏側（バックライトユニット１Ｂに対向する側）に設置されており、上側偏光板１１の偏光方向と同様に、特定の偏光方向を有する光を透過する。
なお、下側偏光板１３は、その偏光方向が上側偏光板１１の偏光方向と直交する向きに設置されている。
【００２１】
バックライトユニット１Ｂは、反射シート２１と、導光板２２と、散乱板２３と、下側プリズムシート２４と、上側プリズムシート２５とを有している。また、導光板２２、散乱板２３、下側プリズムシート２４および上側プリズムシート２５は樹脂製のフレーム２０に収容され、反射シート２１はフレーム２０の下層に配置されている。
フレーム２０は、矩形の枠状部材であり、内周の壁面に、壁面の下部が上部よりも内部に迫り出した段差を有している。
【００２２】
即ち、フレーム２０は、枠を構成する各辺に内周部分２０ａと外周部分２０ｂとを有しており、内周部分２０ａと外周部分２０ｂとで高さが異なる構造となっている。
そして、内周部分２０ａの高さは、反射シート２１、導光板２２、散乱板２３、下側プリズムシート２４、および、上側プリズムシート２５が設置された場合に、上側プリズムシート２５の上面とほぼ同じ高さとなるように構成されている。また、内周部分２０ａと外周部分２０ｂとの高さの差は、液晶パネル１Ａの高さとほぼ同じとなるよう構成されている。
【００２３】
さらに、フレーム２０における内周部分２０ａの上面（段差の上面）には、上側プリズムシート２５の爪（後述）を係止して支持するための溝部２０ｃが形成されている。
この溝部２０ｃは、図１に示すように平面視で直角三角形状の構造を有しており、内周部分２０ａの上面における一方の辺が、内周部分２０ａの縁から直角に切れ込むと共に、他方の辺は内周部分２０ａの縁と斜交している。
【００２４】
なお、以下、溝部２０ｃおよび上側プリズムシート２５の爪において、内周部分２０ａの縁から直角に切れ込む辺を直交辺、内周部分２０ａの縁と斜交する辺を傾斜辺と称する。
また、本実施形態において、溝部２０ｃは、フレーム２０の左右の辺に各２箇所ずつ形成されており、各溝部２０ｃは、その設置位置に対して、フレーム２０の辺が長い方の側に傾斜辺が向くよう形成されている。
【００２５】
このような向きに溝部２０ｃを形成することで、フレーム２０が温度や湿度の変化によって膨張した場合に、膨張量が大きく上側プリズムシート２５と接触する側に向けて、傾斜辺を位置させることができる。
そのため、フレーム２０が上側プリズムシート２５に接触した場合に、接触により作用する力を、フレーム２０の辺に平行な方向と垂直な方向とに分散させることができ、上側プリズムシート２５にしわやたるみが発生する事態を抑制できる。
【００２６】
反射シート２１は、導光板２２の下方から放射された光を液晶パネル１Ａの方向に反射する。
導光板２２は、導光板２２の側方に配置されたＬＥＤ（不図示）から出射した光を導光板２２内部に導き、上面および下面から一様に放射する。
散乱板２３は、下面から入射した光を拡散させて上面から放射する。
下側プリズムシート２４は、下面から入射した光を正面方向に集光して放射する。
上側プリズムシート２５は、下側プリズムシート２４と同様に、下面から入射した光を正面方向に集光して放射する。
【００２７】
なお、下側プリズムシート２４および上側プリズムシート２５は、底面に並んで刻まれた断面三角形状等の微細な溝がプリズムとして機能するものであり、下側プリズムシート２４の溝（プリズム）の方向と上側プリズムシート２５の溝の方向とが互いに直交するように設置されている。
ここで、上記導光板２２、散乱板２３および下側プリズムシート２４については、フレーム２０の内周部分２０ａに囲まれた矩形の領域にほぼ一致する形状を有しており、反射シート２１を底面として、フレーム２０の内周部分２０ａに囲まれた空間に収容される。
【００２８】
一方、上側プリズムシート２５は、矩形のシート本体に対して、直角三角形状に突出した爪２５ａを有しており、反射シート２１、導光板２２、散乱板２３、下側プリズムシート２４、上側プリズムシート２５の順に重ねて設置された場合に、爪２５ａがフレーム２０の内周部分２０ａにおける溝部２０ｃに係止される。
即ち、爪２５ａは、溝部２０ｃにはめ込まれた場合に、溝部２０ｃの直角三角形状に対して所定のクリアランスを設けた形状とされている。このクリアランスは、フレーム２０の材質や形状に基づく膨張の特性を加味して決定される。
【００２９】
爪２５ａの直交辺は、フレーム２５の膨張時、上側プリズムシート２５全体が爪２５ａに加わる力の作用によって位置調整される場合に、直交辺がフレーム２０と当接することにより、上側プリズムシート２５が過度に傾くことを防止する機能を有する。
また、爪２５ａの傾斜辺は、フレーム２５の膨張時、フレーム２０から上側プリズムシート２５に作用する力を分散する機能を有する。
【００３０】
遮光両面テープ１Ｃは、フレーム２０の内周部分２０ａとほぼ一致する外形の遮光両面接着テープあるいは遮光両面粘着テープによって構成され、液晶パネル１Ａの表示領域となる中央部分が切り抜かれた枠状の構成を有している。
即ち、遮光両面テープ１Ｃは、フレーム２０の内周部分２０ａを周回して上側プリズムシート２５の爪２５ａと内周部分２０ａの上面とに一方の面が貼付されると共に、他方の面が液晶パネル１Ａの下側偏光板１３に貼付される。
【００３１】
図３は、遮光両面テープ１Ｃによる液晶パネル１Ａと上側プリズムシート２５との貼り合わせ状態を示す断面図である。
なお、図３（ｂ）は、図３（ａ）の平面図におけるＸ−Ｘ’断面図、図３（ｃ）は、図３（ａ）の平面図におけるＹ−Ｙ’断面図である。
図３（ｂ）に示すように、爪２５ａが形成されていない位置では、遮光両面テープ１Ｃは、フレーム２０の内周部分２０ａと液晶パネル１Ａ（下側偏光板１３）とに貼付され、上側プリズムシート２５に貼付されていない状態である。
【００３２】
一方、図３（ｃ）に示すように、爪２５ａが形成されている位置では、遮光両面テープ１Ｃは、爪２５ａと液晶パネル１Ａ（下側偏光板１３）とに貼付され、フレーム２０の内周部分２０ａに貼付されていない状態である。
即ち、遮光両面テープ１Ｃの切り抜かれた領域は、上側プリズムシート２５のシート本体の矩形よりも大きく開口しており、上側プリズムシート２５とは爪２５ａにおいてのみ貼付されている。
【００３３】
したがって、上側プリズムシート２５と遮光両面テープ１Ｃとは、爪２５ａの一部にあたる小面積の領域で貼り合わされているため、フレーム２０が膨張して接触による力が加わった場合、貼り合わせられている力に抗して、一定の範囲で位置関係にずれを生じることができる。
これにより、上側プリズムシート２５にしわやたるみが生じることをさらに抑制することができる。
このような効果は、遮光両面テープ１Ｃを粘着性のテープとすることで、より顕著なものとなる。
【００３４】
（作用）
次に、本実施形態に係る電気光学装置１の作用を説明する。
電気光学装置１は、反射シート２１の上層におけるフレーム２０の内周部分２０ａに囲まれた空間内に、導光板２２、散乱板２３、下側プリズムシート２４および上側プリズムシート２５が収容された構造を有している。
また、上側プリズムシート２５の爪２５ａは、フレーム２０の内周部分２０ａに形成された溝部２０ｃにはめ込まれ、遮光両面テープ１Ｃによって液晶パネル１Ａの下側偏光板１３と貼付されている。
【００３５】
さらに、フレーム２０の内周部分２０ａの溝部２０ｃ以外の部分と液晶パネル１Ａの下側偏光板１３とは、遮光両面テープ１Ｃによって貼付されている。
ここで、電気光学装置１の周辺環境が変化し、湿度あるいは温度が上昇して、フレーム２０が膨張したとする。
なお、フレーム２０をＰＣ（ポリカーボネート）で構成した場合、熱膨張率は７０×１０-6／Ｋ、上側プリズムシート２５をＰＥＴ（ポリエチレンテレフタラート）で構成した場合、熱膨張率は６０×１０-6／Ｋであるため、フレーム２０の方が大きく膨張する。
【００３６】
このとき、フレーム２０は、より長い方向により大きく膨張することから、長方形状のフレーム２０の場合、長辺の膨張量が短辺の膨張量より大きくなる。
また、各長辺においても、溝部２０ｃの設置位置に対して、長い方の側の膨張量が短い方の側の膨張量よりも大きくなる。
そのため、フレーム２０が膨張した場合、長辺に設置された爪２５ａと溝部２０ｃとは、長辺の中央側の部分において接触することとなる。
【００３７】
即ち、爪２５ａと溝部２０ｃとは、傾斜辺（直角三角形状の斜辺）同士が接触することとなる。
すると、フレーム２０から作用する力が、傾斜辺に平行な方向と垂直な方向とに分散して伝わることとなる。
そのため、上側プリズムシート２５における傾斜辺とシート本体との交点に応力集中が発生することを抑制できる。
【００３８】
また、フレーム２０から作用する力は、上側プリズムシート２５全体をフレーム２０の内側方向に押す力（長辺に垂直な力）と長辺に沿って押し上げる力（長辺に平行な力）とに分かれる。そして、上側プリズムシート２５全体をフレーム２０の内側方向に押す力に対しては、短辺方向（図１における左右方向）にクリアランスが残されていれば、上側プリズムシート２５にしわやたるみが発生することを抑制できる。
【００３９】
即ち、フレームが膨張した場合、上側プリズムシート２５とフレーム２０とのクリアランスの範囲内でプリズムシート２５の位置が自動的に調整されることにより、爪２５ａの根元に応力が集中して上側プリズムシート２５が切れたり、爪２５ａの変形により上側プリズムシート２５の撓みが生じたりしないようにすることができる。
【００４０】
以上のように、本実施形態に係る電気光学装置１は、フレームの溝部２０ｃおよび上側プリズムシート２５の爪２５ａが傾斜辺を有しており、フレーム２０が膨張した場合、これらの傾斜辺同士が擦り接触することにより、フレーム２０から上側プリズムシート２５に作用する力を分散する。
そのため、上側プリズムシート２５に応力集中が発生したり、爪２５ａの変形等を生じさせることを抑制したりできるため、上側プリズムシート２５を介して光を放射するバックライトユニット１Ｂにおいて、フレーム２０に係止された上側プリズムシート２５に発生するしわやたるみを防ぐことが可能となる。
【００４１】
例えば、爪が矩形を有する場合と比べて、フレーム２０の膨張によって上側プリズムシート２５に作用する力を分散し、上側プリズムシート２５に応力集中が発生することを抑制できる。
即ち、本発明によれば、光学シートを介して光を放射する照明装置において、フレームに支持された光学シートに発生するしわやたるみを防ぐことが可能となる。
また、本発明によれば、電気光学装置１の表示品質を向上させることが可能となる。
【００４２】
（応用例１）
上記実施の形態においては、爪２５ａおよび溝部２０ｃを左右の長辺に各２箇所ずつ設置することとして説明したが、爪２５ａおよび溝部２０ｃは、他の個数および設置位置として設置することができる。
図４は、爪２５ａおよび溝部２０ｃを、フレーム２０における右側の長辺に２箇所、左側の長辺に１箇所設置した例を示す図である。
図４において、右側の長辺に設置した２箇所の爪２５ａおよび溝部２０ｃは、第１実施形態と同様に、設置位置から見て長い方の側に傾斜辺を向けられている。
一方、左側の長辺に設置した爪２５ａおよび溝部２０ｃは、長辺の中央部分に設置されている。
【００４３】
このように、爪２５ａおよび溝部２０ｃは、長辺の中央に設置することも可能である。
この場合、フレーム２０が膨張すると、直交辺あるいは傾斜辺のいずれかにおいて、爪２５ａと溝部２０ｃとが接触することとなる。
爪２５ａと溝部２０ｃとが直交辺において当接した場合、直交辺の位置を基点として、上側プリズムシート２５に対するフレーム２０の膨張による作用が加えられ、上側プリズムシート２５は、直交辺の位置を基点としてフレーム２０に対して変位することとなる。
【００４４】
この場合、傾斜辺側のクリアランスがある限り、爪２５ａと溝部２０ｃとは直交辺においてのみ当接した状態となり、フレーム２０の膨張が、上側プリズムシート２５にしわやたるみを発生させる要因とはなり難いものとなる。また、上側プリズムシート２５全体が爪２５ａに加わる力の作用によって位置調整される場合に、直交辺がフレーム２０と当接することにより、上側プリズムシート２５が過度に傾くことが防止される。
一方、爪２５ａと溝部２０ｃとが傾斜辺において接触した場合、第１実施形態において説明したように、フレーム２０から上側プリズムシート２５に作用する力が分散され、上側プリズムシート２５に発生するしわやたるみを防ぐことが可能となる。
【００４５】
（応用例２）
第１実施形態において、爪２５ａおよび溝部２０ｃを直角三角形状であるものとして説明したが、爪２５ａおよび溝部２０ｃを２等辺三角形状とすることも可能である。
図５は、爪２５ａおよび溝部２０ｃを２等辺三角形状とした場合の例を示す図である。
図５において、爪２５ａおよび溝部２０ｃは、第１実施形態における直角三角形状の場合と比べ、直交辺に代えて、傾斜辺が形成されたものとなっている。
このような形状とした場合にも、上側プリズムシート２５のフレーム２０に対する位置決めを行うことができる。また、フレーム２０の溝部２０ｃと爪２５ａとが接触した場合、傾斜辺に平行な方向と垂直な方向とにフレーム２０からの力を分散できるため、上側プリズムシート２５に発生するしわやたるみを防ぐことが可能となる。
【００４６】
（応用例３）
第１実施形態における爪２５ａおよび溝部２０ｃの設置位置を、組み立て時に上側プリズムシート２５の誤設置を防ぐ形態とすることができる。
即ち、上側プリズムシート２５を表面、裏面それぞれにおいて上下、左右を転置してフレーム２０に設置した場合に、唯一の配置でのみ、爪２５ａと溝部２０ｃとの位置が一致する形態とできる。
図６は、爪２５ａおよび溝部２０ｃの設置位置を、組み立て時に上側プリズムシート２５の誤設置を防ぐ形態とした場合の設置例を示す図である。
【００４７】
図６に示す例では、左側の長辺において、下側の短辺から１／３および３／４の位置にそれぞれ爪２５ａおよび溝部２０ｃを設置し、右側の長辺において、下側の短辺から１／５および４／５の位置にそれぞれ爪２５ａおよび溝部２０ｃを設置している。
このような設置位置とした場合、上側プリズムシート２５を表面および裏面において、上下、左右を転置して配置した場合、表面および裏面のいずれかで、上下および左右を特定の配置とした場合にのみ、爪２５ａと溝部２０ｃとの位置が一致する。
したがって、電気光学装置１の組み立て時において、上側プリズムシート２５が誤設置される事態を防止できる。
【００４８】
（応用例４）
第１実施形態においては、バックライトユニット１Ｂに備えられる光学シートのうち、上側プリズムシート２５にのみ爪を形成する場合について説明したが、散乱板２３や下側プリズムシート２４等、他の光学シートにも爪を形成することが可能である。
この場合、各光学シートにおける爪を係止するための溝部をフレームに形成することで、各光学シートにおけるしわやたるみの発生を抑制することができる。
また、各光学シートにおける爪は、同一の位置に設置すること、および、異なる位置に設置することいずれとすることも可能である。
即ち、各光学シートにおけるしわやたるみの発生傾向が異なる場合には、それぞれの光学シートにおいて有効にしわやたるみの発生を抑制できる位置に爪が形成される。
【００４９】
（応用例５）
上記実施形態に係る電気光学装置１は、液晶装置を備えた各種電子機器に適用可能である。
図７は、電子機器として携帯電話機に電気光学装置１を適用した場合の例を示す模式図である。
電気光学装置１が適用される電子機器として、図７のような携帯電話機の他、例えば、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器には画面表示を指示する制御部が備えられ、その画面表示を行う表示部として、前述した液晶装置が適用可能である。
【図面の簡単な説明】
【００５０】
【図１】第１実施形態に係る電気光学装置１の全体構成を示す図である。
【図２】電気光学装置１の断面構造（図１におけるＡ−Ａ’断面構造）を示す概略図である。
【図３】遮光両面テープ１Ｃによる液晶装置１Ａと上側プリズムシート２５との貼り合わせ状態を示す断面図である。
【図４】爪２５ａおよび溝部２０ｃを、フレーム２０における右側の長辺に２箇所、左側の長辺に１箇所設置した例を示す図である。
【図５】爪２５ａおよび溝部２０ｃを２等辺三角形状とした場合の例を示す図である。
【図６】爪２５ａおよび溝部２０ｃの設置位置を、組み立て時に上側プリズムシート２５の誤設置を防ぐ形態とした場合の設置例を示す図である。
【図７】電子機器として携帯電話機に電気光学装置１を適用した場合の例を示す模式図である。
【符号の説明】
【００５１】
１  電気光学装置、１Ａ  液晶装置、１Ｂ  バックライトユニット、１Ｃ  遮光両面テープ、１１  上側偏光板、１２  液晶セル、１３  下側偏光板、２０  フレーム、２０ａ  内周部分、２０ｂ  外周部分、２０ｃ  溝部、２１  反射シート、２２  導光板、２３  散乱板、２４  下側プリズムシート、２５  上側プリズムシート、２５ａ  爪
【図１】
2010157452.tif 000003
【図２】
2010157452.tif 000004
【図３】
2010157452.tif 000005
【図４】
2010157452.tif 000006
【図５】
2010157452.tif 000007
【図６】
2010157452.tif 000008
【図７】
2010157452.tif 000009